(57)【要約】      （修正有）【課題】従来のマチが腰のない薄い生地により作られていたことに起因する不具合を解消し得る棒状小物類収納ケースを提供する。【解決手段】縦方向の寸法が収納すべき棒状小物類の長さ寸法よりも大きく設定された底壁１と、この底壁１の横幅方向の両端部に連設され前記底壁１の内面に収納空間ｓｐを介して対面する閉じ姿勢及び前記底壁１の内面を開放する開き姿勢を選択的にとり得る対をなす開閉壁２，３と、前記底壁１の縦方向両端部付近に位置させて前記両開閉壁間２，３に設けられ前記閉じ姿勢において前記収納空間ｓｐに収納された棒状小物類の端部を前記底壁１方向に押え得るように折り畳まれるマチＣとを具備してなり、前記マチＣが、前記両開閉壁２，３が開き姿勢から閉じ姿勢方向に自己復帰するのを抑止し得る程度の曲げこわさを備えている。【選択図】図１
2017189273.tif 000002
【特許請求の範囲】
【請求項１】
縦方向の寸法が収納すべき棒状小物類の長さ寸法よりも大きく設定された底壁と、この底壁の横幅方向の両端部に連設され前記底壁の内面に収納空間を介して対面する閉じ姿勢及び前記底壁の内面を開放する開き姿勢を選択的にとり得る対をなす開閉壁と、前記底壁の縦方向両端部付近に位置させて前記両開閉壁間に設けられ前記閉じ姿勢において前記収納空間に収納された棒状小物類の端部を前記底壁方向に押え得るように折り畳まれるマチとを具備してなる棒状小物類収納ケース。
【請求項２】
前記マチが、前記両開閉壁が開き姿勢から閉じ姿勢方向に自己復帰するのを抑止し得る程度の曲げこわさを備えたものである請求項１記載の棒状小物類収納ケース。
【請求項３】
前記底壁が、常時平坦面を形成し得るものである請求項１又は２記載の棒状小物類収納ケース。
【請求項４】
前記開き姿勢において、前記一方の開閉壁の高さ寸法が前記他方の開閉壁の高さ寸法よりも大きくなるように設定されている請求項１、２又は３記載の棒状小物類収納ケース。
【請求項５】
前記一方の開閉壁における前記他方の開閉壁の上端よりも高い位置に、前記マチが接続されている請求項４記載の棒状小物類収納ケース。
【請求項６】
前記マチの上縁が、前記開閉壁の高低に対応させて設けられている請求項１、２、３、４又は５記載の棒状小物類収納ケース。
【請求項７】
前記開閉壁は、９０°を上回る角度に回動して閉じ姿勢から開き姿勢に至るように構成されたものである請求項１、２、３、４、５又は６記載の棒状小物類収納ケース。
【請求項８】
前記マチが、前記底壁に止着された底辺と、前記一方の開閉壁に止着された第一の側辺と、前記他方の開閉壁に止着された第二の側辺と、これら第一、第二の側辺の上端同士を結ぶ上辺とを備えた請求項１、２、３、４、５、６又は７記載の棒状小物類収納ケース。
【請求項９】
前記マチが、前記上辺に相互に離間した二つの中間屈曲箇所を有し、一方の中間屈曲箇所から前記底辺の一端に至る第一の仮想谷折り線と、他方の中間屈曲箇所から前記底辺の他端に至る第二の仮想谷折り線とを介して収納空間側に折り畳まれるものである請求項８記載の棒状小物類収納ケース。
【請求項１０】
平面視長方形状をなす底壁と、この底壁の横幅方向の両端部に連設され前記底壁の内面に収納空間を介して対面する閉じ姿勢及び前記底壁の内面を開放する開き姿勢を選択的にとり得る対をなす開閉壁と、前記底壁の縦方向両端部付近に位置させて前記両開閉壁間に設けられたマチとを具備してなり、
前記開き姿勢で前記一方の開閉壁の高さ寸法が前記他方の開閉壁の高さ寸法よりも大きくなるように設定してあるとともに、前記マチの上縁を前記開閉壁の高低に対応させて設けられている棒状小物類収納ケース。
【発明の詳細な説明】
【技術分野】
【０００１】
本発明は、筆記具等の棒状小物類を収納するための棒状小物類収納ケースに関する。
【背景技術】
【０００２】
従来、この種の収納ケースとして、平面視長方形状をなす底壁と、この底壁の横幅方向の両端部に連設され前記底壁の内面に収納空間を介して対面する閉じ姿勢及び前記底壁の内面を開放する開き姿勢を選択的にとり得る対をなす開閉壁と、前記底壁の縦方向両端部付近に位置させて前記両開閉壁間に設けられたマチとを具備してなるものが知られている（例えば、特許文献１を参照）。
【０００３】
しかして、このものは前記両開閉壁を開き姿勢に展開することによって、前記収納空間を開放することができ、トレー状に展開して机上等において使用するができるようになっている。
【０００４】
ところが、従来のマチは、腰のない薄い生地により作られたものであるため、このマチにより前記開閉壁を開いた状態に保持することはできない。そのため、かかる収納ケースにおいては、前記各開閉壁をそれぞれ途中で略直角に屈曲する構造にしておき、自重により各開閉扉を開成状態に維持し得るような工夫がなされている。また、この収納ケースは、前記開閉壁を閉じた状態で携帯することもできるが、前記マチは、収納空間内に収納された筆記具等の棒状小物類を底壁に押し付けるような機能は有していない。そのため、携帯時に内部の筆記具等が乱雑に移動して音が発生したり前記筆記具等がぶつかり合って傷んだりするという不具合の発生が懸念される。
【０００５】
なお、以上の事情は、文房具以外の棒状小物類、例えば、メイクブラシ等の棒状化粧道具や、ナイフやフォークやスプーン等のカトラリーを収容するための収納ケース等においても同様である。
【先行技術文献】
【特許文献】
【０００６】
【特許文献１】実用新案登録第３０７２８０６号公報
【発明の概要】
【発明が解決しようとする課題】
【０００７】
本発明は、以上のような事情に着目してなされたもので、構造の複雑化を招くことなく、少なくとも収納空間内に収納された棒状小物類の移動が好適に抑制され得る棒状小物類収納ケースを提供し得るものとなる。
【課題を解決するための手段】
【０００８】
すなわち、本発明は次の構成をなしている。
【０００９】
請求項１に記載の発明は、縦方向の寸法が収納すべき棒状小物類の長さ寸法よりも大きく設定された底壁と、この底壁の横幅方向の両端部に連設され前記底壁の内面に収納空間を介して対面する閉じ姿勢及び前記底壁の内面を開放する開き姿勢を選択的にとり得る対をなす開閉壁と、前記底壁の縦方向両端部付近に位置させて前記両開閉壁間に設けられ前記閉じ姿勢において前記収納空間に収納された棒状小物類の端部を前記底壁方向に押え得るように折り畳まれるマチとを具備してなる棒状小物類収納ケースである。
【００１０】
請求項２に記載の発明は、前記マチが、前記両開閉壁が開き姿勢から閉じ姿勢方向に自己復帰するのを抑止し得る程度の曲げこわさを備えたものである請求項１記載の棒状小物類収納ケースである。
【００１１】
請求項３に記載の発明は、前記底壁が、常時平坦面を形成し得るものである請求項１又は２記載の棒状小物類収納ケースである。
【００１２】
請求項４に記載の発明は、前記開き姿勢において、前記一方の開閉壁の高さ寸法が前記他方の開閉壁の高さ寸法よりも大きくなるように設定されている請求項１、２又は３記載の棒状小物類収納ケースである。
【００１３】
請求項５に記載の発明は、前記一方の開閉壁における前記他方の開閉壁の上端よりも高い位置に、前記マチが接続されている請求項４記載の棒状小物類収納ケースである。
【００１４】
請求項６に記載の発明は、前記マチの上縁が、前記開閉壁の高低に対応させて設けられている請求項１、２、３、４又は５記載の棒状小物類収納ケースである。
【００１５】
請求項７に記載の発明は、前記開閉壁は、９０°を上回る角度に回動して閉じ姿勢から開き姿勢に至るように構成されたものである請求項１、２、３、４、５又は６記載の棒状小物類収納ケースである。
【００１６】
請求項８に記載の発明は、前記マチが、前記底壁に止着された底辺と、前記一方の開閉壁に止着された第一の側辺と、前記他方の開閉壁に止着された第二の側辺と、これら第一、第二の側辺の上端同士を結ぶ上辺とを備えた請求項１、２、３、４、５、６又は７記載の棒状小物類収納ケースである。
【００１７】
請求項９に記載の発明は、前記マチが、前記上辺に相互に離間した二つの中間屈曲箇所を有し、一方の中間屈曲箇所から前記底辺の一端に至る第一の仮想谷折り線と、他方の中間屈曲箇所から前記底辺の他端に至る第二の仮想谷折り線とを介して収納空間側に折り畳まれるものである請求項８記載の棒状小物類収納ケースである。
【００１８】
請求項１０に記載の発明は、平面視長方形状をなす底壁と、この底壁の横幅方向の両端部に連設され前記底壁の内面に収納空間を介して対面する閉じ姿勢及び前記底壁の内面を開放する開き姿勢を選択的にとり得る対をなす開閉壁と、前記底壁の縦方向両端部付近に位置させて前記両開閉壁間に設けられたマチとを具備してなり、前記開き姿勢で前記一方の開閉壁の高さ寸法が前記他方の開閉壁の高さ寸法よりも大きくなるように設定してあるとともに、前記マチの上縁を前記開閉壁の高低に対応させて設けられている棒状小物類収納ケースである。
【発明の効果】
【００１９】
以上説明したように本発明によれば、構造の複雑化を招くことなく、少なくとも収納空間内に収納された棒状小物類の移動が好適に抑制され得る棒状小物類収納ケースを提供し得るものとなる。
【図面の簡単な説明】
【００２０】
【図１】本発明の一実施形態を示す斜視図。
【図２】同実施形態における斜視図。
【図３】同実施形態における斜視図。
【図４】同実施形態における正面図。
【図５】同実施形態における平面図。
【図６】同実施形態における背面図。
【図７】同実施形態における底面図。
【図８】同実施形態における概略的な展開図。
【図９】同実施形態における模式図。
【図１０】同実施形態における模式図。
【図１１】同実施形態における内部構造を説明するための説明図
【発明を実施するための形態】
【００２１】
以下、本発明の一実施形態を、図１〜１１を参照して説明する。
【００２２】
この実施形態は、本発明を、筆記具等の棒状小物類Ｅを収納するための棒状小物類収納ケースＡ（以下、単に「収納ケースＡ」という。）に適用したものである。
【００２３】
収納ケースＡは、縦方向の寸法が収納すべき棒状小物類Ｅの長さ寸法よりも大きく設定された底壁１と、この底壁１の横幅方向の両端部に連設され底壁１の内面に収納空間ｓｐを介して対面する閉じ姿勢（Ｔ）及び底壁１の内面を開放する開き姿勢（Ｈ）を選択的にとり得る対をなす開閉壁２、３と、底壁１の縦方向両端部付近に位置させて両開閉壁２、３間に設けられ閉じ姿勢（Ｔ）において収納空間ｓｐに収納された棒状小物類Ｅの端部を底壁１方向に押さえ得るように折り畳まれるマチＣとを具備してなり、マチＣが、両開閉壁２、３が開き姿勢（Ｈ）から閉じ姿勢（Ｔ）方向に自己復帰するのを抑止し得る程度の曲げこわさを備えたものである。
【００２４】
なお、図１は、両開閉壁２、３が開き姿勢（Ｈ）に近い状態の収納ケースＡの斜視図である。図２は、両開閉壁２、３が閉じ姿勢（Ｔ）にある状態の収納ケースＡの斜視図である。図３は、同閉じ姿勢（Ｔ）における収納ケースＡの裏面側の斜視図である。図４は、閉じ姿勢（Ｔ）の収納ケースＡを示す正面図であり、図５は同平面図、図６は同背面図、図７は同底面図であり、後述する斜めバンド４に薄墨パターンを施している。図８は、マチＣを無視した状態で両開閉壁２、３を１８０°開いた状態を概略的に示す展開図であり、後述する内ポケット２２部分に薄墨パターンを施している。図９は、開き姿勢（Ｈ）の収納ケースＡを側面から示す模式図である。図１０は、棒状小物類Ｅを収納した閉じ姿勢（Ｔ）を側面から示す模式図である。図１１は、底壁１、及び、両開閉壁２、３の内部構造を説明するための説明図であり、同図における（ａ）は、図８に相当する概略的な展開姿勢を示し、（ｂ）は、側断面を模式的に示している。図１１（ｂ）は、視認し易くするために各部材の厚みを強調して示しており、間隔も大きく強調して描いてある。
【００２５】
収納ケースＡは、平面視長方形状をなす底壁１と、この底壁１の横幅方向の両端部に連設され底壁１の内面に収納空間ｓｐを介して対面する閉じ姿勢（Ｔ）、及び、底壁１の内面を開放する開き姿勢（Ｈ）を選択的に採り得る対をなす開閉壁２、３と、底壁１の縦方向両端部付近に位置させて両開閉壁２、３間に設けられたマチＣとを具備してなり、開き姿勢（Ｈ）で一方の開閉壁２の高さ寸法が他方の開閉壁３の高さ寸法よりも大きくなるように設定してあるとともに、マチＣの上縁である上辺ｃ４を開閉壁２、３の高低に対応させて傾斜させてある。
【００２６】
詳述すれば、収納ケースＡは、底壁１と両開閉壁２、３とを一体的に備えた周壁構造体Ｂと、マチＣとを主体に構成されている。この周壁構造体Ｂは、図１１に示すように、外装材ｓ１と、内装材ｓ２との間に、底壁１用の硬質芯材ｋ１、底壁１用の軟質芯材ｎ１、一方の開閉壁２用の硬質芯材ｋ２、一方の開閉壁２用の軟質芯材ｎ２、他方の開閉壁３用の硬質芯材ｋ３、他方の開閉壁３用の軟質芯材ｎ３をそれぞれ介在させ、周縁部を糸により縫製したものである。
【００２７】
なお、外装材ｓ１及び内装材ｓ２は、例えば、ポリエステル製の生地により構成されたものである。硬質芯材ｋ１、ｋ２、ｋ３は、例えば、ポリプロピレン製のシートにより構成されたものである。軟質芯材ｎ１、ｎ２、ｎ３は、例えば、ポリエチレン製の発泡体により構成されたシート状のものである。
【００２８】
すなわち、底壁１は、平面視長方形状をなすもので、外装材ｓ１と内装材ｓ２との間に硬質芯材ｋ１と軟質芯材ｎ１とを介在させたものである。底壁１の横幅方向両側縁部には、硬質芯材、及び、軟質芯材が存在しない。そのため、底壁１と両開閉壁２、３とは、ヒンジ的に変形可能な外装材ｓ１、及び、内装材ｓ２のみによって接続されている。底壁１の縦方向寸法は、収納すべき棒状小物類Ｅの長手方向寸法よりも大きく設定されており、この底壁１の内面と両開閉壁２、３の内面との間に、棒状小物類Ｅを収納するための収納空間ｓｐが形成されている。
【００２９】
一方の開閉壁２は、硬質領域である先端側領域２ａと軟質領域である基端側領域２ｂとに区成された長方形状のもので、先端側領域２ａが基端側領域２ｂに比較して高い剛性を備えている。すなわち、一方の開閉壁２の先端側領域２ａは、外装材ｓ１と内装材ｓ２との間に硬質芯材ｋ２と軟質芯材ｎ２とを介在させたものであり、基端側領域２ｂは、外装材ｓ１と内装材ｓ２との間に軟質芯材ｎ２のみを介在させたものである。この一方の開閉壁２の外側には、外ポケット２１が設けられているとともに、内側における軟質領域である基端側領域２ｂには、内ポケット２２が設けられている。この内ポケット２２は、一方の開閉壁２の内面に網状シートを添設してなるものでその開口部２２ａには、収容したものが落下することを防止するための面ファスナ２２ｂが設けられている。
【００３０】
他方の開閉壁３は、長方形状のもので、外装材ｓ１と内装材ｓ２との間に硬質芯材ｋ３と軟質芯材ｎ３とを介在させている。
【００３１】
この収納ケースＡは、開き姿勢（Ｈ）において、図１、及び、図９に示すように、一方の開閉壁２の高さ寸法が、他方の開閉壁３の高さ寸法よりも大きくなるように設定してある。両開閉壁２、３は、９０°を上回る角度だけ回動して閉じ姿勢（Ｔ）から開き姿勢（Ｈ）に至るように構成されたものである。この実施形態においては、両開閉壁２、３を１２０°回転させることにより、開き姿勢（Ｈ）を採り得るようになっている。図１は、閉じ姿勢（Ｔ）に自己復帰するのをマチＣにより阻止している状態を示すものであり、完全な開き姿勢（Ｈ）から若干閉じ姿勢（Ｔ）方向に遷移して両開閉壁２、３が静止している状態を示している。
【００３２】
マチＣは、底壁１の縦方向両端部付近に位置させて両開閉壁２、３間に設けられたもので、ポリエステル製の厚手の生地により作られている。このマチＣの上縁は、開閉壁２、３の高低に対応させて傾斜させてある。すなわち、このマチＣは、図９に示すように、底壁１に止着された底辺ｃ１と、一方の開閉壁２に止着された第一の側辺ｃ２と、他方の開閉壁３に止着された第二の側辺ｃ３と、これら第一、第二の側辺ｃ２、ｃ３の上端同士を結ぶ上辺ｃ４とを備えたものであり、上辺ｃ４を底辺ｃ１に対して傾斜させてある。そして、マチＣは、上辺ｃ４に相互に離間した二つの中間屈曲箇所ｃ４１、ｃ４２を有し、一方の中間屈曲箇所ｃ４１から底辺ｃ１の一端に至る第一の仮想谷折り線ｙ１と、他方の中間屈曲箇所ｃ４２から底辺ｃ１の他端に至る第二の仮想谷折り線ｙ２とを介して収納空間ｓｐ側に折り畳まれるものである。
【００３３】
具体的には、このマチＣは、第一、第二の仮想谷折り線ｙ１、ｙ２と第一、第二の側辺ｃ２、ｃ３との間にそれぞれ形成された第一、第二の端部領域ｒ１、ｒ２、及び、第一、第二の仮想谷折り線ｙ１、ｙ２間に形成された中間領域ｒ３を備えたものであり、閉じ姿勢（Ｔ）において中間領域ｒ３が収納空間ｓｐに収納された棒状小物類Ｅの端部を押さえ得るようになっている。
【００３４】
マチＣにおける底辺ｃ１、第一の側辺ｃ２、及び、第二の側辺ｃ３は、外方に折り曲げた状態で、縁巻きテープｔとともに周壁構造体Ｂに縫着されている。そして、マチＣの一側辺である第一の側辺ｃ２は、軟質領域である基端側領域２ｂの縁に連接されている。
【００３５】
以上説明した収納ケースＡの底壁１には斜めバンド４が設けられているとともに両開閉壁２、３間には、閉じ姿勢（Ｔ）に保持するための対をなすスナップ式留め具ｄが設けられている。
【００３６】
斜めバンド４は、略直交する二つの端部を有した底壁１の外面に設けられたもので、一端が底壁１の縦方向一端部に止着されるとともに他端が底壁１の横幅方向一端部に止着されている。この斜めバンド４は、底壁１の外面に接し得る裏面側に図示しない滑り止め部を備えているもので、この斜めバンド４と底壁１との間に挿入された冊子の表紙等に代表される板状の対象物が容易に外れないようになっている。
【００３７】
スナップ式留め具ｄは、メス型要素ｄ１とオス型要素ｄ２とを着脱可能に係合させ得るようにした通常のもので、両開閉壁２、３の両端近傍部に二組設けられている。
【００３８】
以上説明したように、本実施形態に係る収納ケースＡは、縦方向の寸法が収納すべき棒状小物類Ｅの長さ寸法よりも大きく設定された底壁１と、この底壁１の横幅方向の両端部に連設され底壁１の内面に収納空間ｓｐを介して対面する閉じ姿勢（Ｔ）及び底壁１の内面を開放する開き姿勢（Ｈ）を選択的に採り得る対をなす開閉壁２、３と、底壁１の縦方向両端部付近に位置させて両開閉壁２、３間に設けられ閉じ姿勢（Ｔ）において収納空間ｓｐに収納された棒状小物類Ｅの端部を底壁１方向に押え得るように折り畳まれるマチＣとを具備している。そして、マチＣが、両開閉壁２、３が開き姿勢（Ｈ）から閉じ姿勢（Ｔ）方向に自己復帰するのを抑止し得る程度の曲げこわさを備えている。このため、マチＣのまげ強さ、すなわち、マチＣにおける平板の形状を保持しようとする一定の弾性反発力によって両開閉壁２、３を開いた状態に保持することができるものとなる。しかも、マチＣは、収納空間ｓｐ内に収納された筆記具等の棒状小物類Ｅを底壁１側に向かって押し付け得るものとなるため、携帯時に内部の棒状小物類Ｅが乱雑に移動して音が発生したりぶつかり合って傷んだりするという不具合の発生が好適に抑制されるものとなる。
【００３９】
収納ケースＡは、開き姿勢（Ｈ）において、一方の開閉壁２の高さ寸法が他方の開閉壁３の高さ寸法よりも大きくなるように設定してあるとともに、マチＣの上縁を開閉壁２、３の高低に対応させて傾斜させてある。このため、収納空間ｓｐ内に棒状小物類Ｅを入れやすいものとなるだけでなく、両開閉壁２、３とを連結する箇所が端部に偏倚するため、スナップ式留め具ｄ等を用いて一方の開閉壁２と他方の開閉壁３とを連結し易いものとなる。しかも、一方の開閉壁２の高さ寸法が他方の開閉壁３よりも大きくなるため、一方の開閉壁２側に一定の大きさを有する外ポケット２１や内ポケット２２等を設けるための設計の自由度に優れるものとなる。また、一方の開閉壁２の重さを利用して、当該開閉壁２の重さを利用して閉じ姿勢（Ｔ）においてマチＣを棒状小物類Ｅに対して効果的に押し付け得るものとなる。
【００４０】
両開閉壁２、３が、９０°を上回る角度だけ回動して閉じ姿勢（Ｔ）から開き姿勢（Ｈ）に至るように構成されている。すなわち、両開閉壁２、３は、底壁１に対して９０°を上回りつつ、１３０°を超えないように回動し得るように設定されている。このため、開き姿勢（Ｈ）において、収納空間ｓｐ内に棒状小物類Ｅを入れやすいものとなっている。また、開き姿勢（Ｈ）において、過度に拡開しないため、例えば、一方の開閉壁２の重さによって全体が転倒してしまうようなことも抑制されるものとなる。
【００４１】
マチＣが、底壁１に止着された底辺ｃ１と、一方の開閉壁２に止着された第一の側辺ｃ２と、他方の開閉壁３に止着された第二の側辺ｃ３と、これら第一、第二の側辺ｃ２、ｃ３の上端同士を結ぶ上辺ｃ４とを備えている。そして、上辺ｃ４を底辺ｃ１に対して傾斜させてある。このため、マチＣの面積を広く確保し、まげ強さを付与するための設計の自由度に優れたものとなる。
【００４２】
マチＣが、その上辺ｃ４に相互に離間した二つの中間屈曲箇所ｃ４１、ｃ４２を有している。そして、マチＣが、一方の中間屈曲箇所ｃ４１から底辺ｃ１の一端に至る第一の仮想谷折り線ｙ１と、他方の中間屈曲箇所から底辺ｃ１の他端に至る第二の仮想谷折り線ｙ２とを介して収納空間ｓｐ側に折り畳まれるものである。このため、マチＣが、収納空間ｓｐ内に収納された筆記具等の棒状小物類Ｅを、第一、第二の仮想谷折り線ｙ１、ｙ２との間の部位を主体として、底壁１に向かって好適に押し付け得るものとなる。
【００４３】
マチＣが、第一、第二の仮想谷折り線ｙ１、ｙ２と第一、第二の側辺ｃ２、ｃ３との間にそれぞれ形成された第一、第二の端部領域ｒ１、ｒ２と、第一、第二の仮想谷折り線ｙ１、ｙ２間に形成された中間領域ｒ３とを備えている。そして、マチＣが、閉じ姿勢（Ｔ）において中間領域ｒ３が収納空間ｓｐに収納された棒状小物類Ｅの端部を押さえ得るようになっている。このため、マチＣが、中間領域ｒ３を主体にして、収納空間ｓｐ内に収納された筆記具等の棒状小物類Ｅを、底壁１に向かって好適に押し付け得るものとなる。
【００４４】
なお、本発明は、以上に詳述した実施形態に限られるものではない。
【００４５】
棒状小物類は、一定の長さを有したものであればよく、筆記具等の文房具に限られるものではない。すなわち、棒状小物類は両端部分が閉じ姿勢におけるマチと当接し得る大きさを有しているものであればどのようなものであってもよい。他の棒状小物類としては、例えば、メイクブラシ等の棒状化粧道具や、ナイフやフォークやスプーン等のカトラリーを挙げることができる。
【００４６】
周壁構造体の構成は、種々変更することができるものであり、本実施形態に示すものに限定されるものではない。例えば、外装材と内装材との間の硬質芯材や軟質芯材の材質や配設態様は、種々のものを採用することができる。
【００４７】
マチの構成は、種々変更することができるものであり、本実施形態に示すものには限定されるものではない。例えば、マチの材質や形状は、本発明の趣旨を逸脱しない範囲で、適宜変更し得るものである。
【００４８】
その他、各部の具体的構成についても上記実施形態に限られるものではなく、本発明の趣旨を逸脱しない範囲で種々変形が可能である。
【符号の説明】
【００４９】
１…底壁
２…開閉壁（一方の開閉壁）
３…開閉壁（他方の開閉壁）
Ａ…棒状小物類収納ケース
Ｃ…マチ
Ｅ…棒状小物類
（Ｈ）…開き姿勢
（Ｔ）…閉じ姿勢
【図１】
2017189273.tif 000003
【図２】
2017189273.tif 000004
【図３】
2017189273.tif 000005
【図４】
2017189273.tif 000006
【図５】
2017189273.tif 000007
【図６】
2017189273.tif 000008
【図７】
2017189273.tif 000009
【図８】
2017189273.tif 000010
【図９】
2017189273.tif 000011
【図１０】
2017189273.tif 000012
【図１１】
2017189273.tif 000013